【手続補正書】
【提出日】平成21年9月30日(2009.9.30)
【手続補正１】
【補正対象書類名】明細書
【補正対象項目名】特許請求の範囲
【補正方法】変更
【補正の内容】
【特許請求の範囲】
【請求項１】  日時を示す情報が付加された画像データをメモリから読み出す読出手段と、
前記情報が示す日時に基づいて、前記メモリに記憶された複数の画像データをグループに分ける分類手段と、
前記読出手段によって読み出された複数の画像データを前記分類手段により分けられたグループ毎に区別して出力する出力手段と、
を有することを特徴とする画像処理装置。
【請求項２】  前記出力手段は、前記読出手段によって読み出された複数の画像データに基づく画像が前記分類手段により分けられたグループに応じて配置されるように画像データを出力することを特徴とする請求項１に記載の画像処理装置。
【請求項３】  前記出力手段は、画像データを表示装置に出力して前記画像データに基づく画像を表示させることを特徴とする請求項２に記載の画像処理装置。
【請求項４】  前記表示装置に表示された画像に基づくオペレータの指示に応じて、前記複数の画像データから画像データを選択する選択手段を有することを特徴とする請求項３に記載の画像処理装置。
【請求項５】  前記選択手段は、前記分類手段により分けられたグループに属する複数の画像データを一括して選択することを特徴とする請求項４に記載の画像処理装置。
【請求項６】  前記出力手段は、画像データを印刷装置に出力して前記画像データに基づく画像を印刷させることを特徴とする請求項３に記載の画像処理装置。
【請求項７】  前記出力手段は、前記複数の画像データをメモリに記憶させるように出力することを特徴とする請求項１に記載の画像処理装置。
【請求項８】  前記出力手段は、前記複数の画像データを前記分類手段により分けられたグループ毎に対応したフォルダに分けて記憶させるよう出力することを特徴とする請求項７に記載の画像処理装置。
【請求項９】  前記読出手段は、画像処理装置に装着された外部メモリから画像データを読み出すことを特徴とする請求項１乃至請求項８のいずれか１項に記載の画像処理装置。
【請求項１０】  前記分類手段は、前記情報が示す日付ごとにグループを分けることを特徴とする請求項１乃至請求項９のいずれか１項に記載の画像処理装置。
【請求項１１】  前記分類手段は、前記複数の画像データのそれぞれが有する情報が示す日時の間隔に応じてグループを分けることを特徴とする請求項１乃至請求項９のいずれか１項に記載の画像処理装置。
【請求項１２】  前記メモリに記憶された画像データは撮影装置により得られた画像データであり、前記情報は前記撮影装置が撮影した日時を示すことを特徴とする請求項１乃至請求項１１のいずれか１項に記載の画像処理装置。
【請求項１３】  前記情報は画像データが含まれるファイルが作成された日時を示すことを特徴とする請求項１乃至請求項１１のいずれか１項に記載の画像処理装置。
【請求項１４】  日時を示す情報が付加された画像データをメモリから読み出す読出工程と、
前記メモリに記憶された画像データに付加された前記情報が示す日時に基づいて、前記メモリに記憶された複数の画像データをグループに分ける分類工程と、
前記読出工程において読み出された複数の画像データを、前記分類工程において分けられたグループ毎に区別して出力する出力工程と、
を有することを特徴とする画像処理方法。
【請求項１５】  前記出力工程では、前記読出工程によって読み出された複数の画像データに基づく画像が前記分類工程において分けられたグループに応じて配置されるように画像データを出力することを特徴とする請求項１４に記載の画像処理方法。
【請求項１６】  前記出力工程では、画像データを表示装置に出力して前記画像データに基づく画像を表示させることを特徴とする請求項１５に記載の画像処理方法。
【請求項１７】  前記表示装置に表示された画像に基づくオペレータの指示に応じて、前記複数の画像データから画像データを選択する選択工程を有することを特徴とする請求項１６に記載の画像処理方法。
【請求項１８】  前記選択工程では、前記分類工程において分けられたグループに属する複数の画像データを一括して選択することを特徴とする請求項１７に記載の画像処理方法。
【請求項１９】  前記出力工程では、画像データを印刷装置に出力して前記画像データに基づく画像を印刷させることを特徴とする請求項１５に記載の画像処理方法。
【請求項２０】  前記出力工程では、前記複数の画像データをメモリに記憶させるように出力することを特徴とする請求項１４に記載の画像処理方法。
【請求項２１】  前記出力工程では、前記複数の画像データを前記分類工程において分けられたグループ毎に対応したフォルダに分けて記憶させるよう出力することを特徴とする請求項２０に記載の画像処理方法。
【請求項２２】  前記分類工程では、前記情報が示す日付ごとにグループを分けることを特徴とする請求項１４乃至請求項２１のいずれか１項に記載の画像処理方法。
【請求項２３】  前記分類工程では、前記複数の画像データのそれぞれが有する情報が示す日時の間隔に応じてグループを分けることを特徴とする請求項１４乃至請求項２１のいずれか１項に記載の画像処理方法。
【請求項２４】  前記メモリに記憶された画像データは撮影装置により得られた画像データであり、前記情報は前記撮影装置が撮影した日時を示すことを特徴とする請求項１４乃至請求項２３のいずれか１項に記載の画像処理方法。
【請求項２５】  前記情報は画像データが含まれるファイルが作成された日時を示すことを特徴とする請求項１４乃至請求項２３のいずれか１項に記載の画像処理方法。
【請求項２６】  請求項１４乃至請求項２５のいずれか１項に記載の画像処理方法をコンピュータに実行させることを特徴とするプログラム。
【手続補正２】
【補正対象書類名】明細書
【補正対象項目名】発明の名称
【補正方法】変更
【補正の内容】
【発明の名称】画像処理装置、画像処理方法、及びプログラム
【手続補正３】
【補正対象書類名】明細書
【補正対象項目名】０００１
【補正方法】変更
【補正の内容】
【０００１】
【発明の属する技術分野】
本発明は、画像データを処理する画像処理装置、画像処理方法、及びプログラムに関する。
【手続補正４】
【補正対象書類名】明細書
【補正対象項目名】００１０
【補正方法】変更
【補正の内容】
【００１０】
本発明は、上記の問題点を解消するためになされたもので、本発明の目的は、メモリに記憶された複数の画像データを付加された時刻情報に従いグループに分けて出力できる仕組みを提供することを目的とする。
【手続補正５】
【補正対象書類名】明細書
【補正対象項目名】００１１
【補正方法】変更
【補正の内容】
【００１１】
【課題を解決するための手段】
本発明に係る発明は、日時を示す情報が付加された画像データをメモリから読み出す読出手段と、前記情報が示す日時に基づいて、前記メモリに記憶された複数の画像データをグループに分ける分類手段と、前記読出手段によって読み出された複数の画像データを前記分類手段により分けられたグループ毎に区別して出力する出力手段とを有することを特徴とする。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】削除
【補正の内容】
【手続補正２８】
【補正対象書類名】明細書
【補正対象項目名】００３４
【補正方法】削除
【補正の内容】
【手続補正２９】
【補正対象書類名】明細書
【補正対象項目名】００３５
【補正方法】削除
【補正の内容】
【手続補正３０】
【補正対象書類名】明細書
【補正対象項目名】００３６
【補正方法】削除
【補正の内容】
【手続補正３１】
【補正対象書類名】明細書
【補正対象項目名】０１４４
【補正方法】変更
【補正の内容】
【０１４４】
【発明の効果】
以上説明したように、本発明によれば、メモリに記憶された複数の画像データを付加された時刻情報に従いグループに分けて出力できる。
また、時刻情報に従いグループに分けて出力された画像データから出力したい画像データを利便性よく選択することができる。